(57)【要約】  本発明の局側装置は、加入者側装置に割り当てていた移行元波長を当該移行元波長とは異なる移行先波長に変更する旨の波長変更指示を、前記加入者側装置に指示する波長変更指示部と、前記移行元波長の光信号を送受信する移行元ポートと、前記移行先波長の光信号を送受信する移行先ポートと、前記移行元ポートと前記加入者側装置との接続を検出する移行元ポート監視部と、前記移行先ポートと前記加入者側装置との接続を検出する移行先ポート監視部と、前記波長変更指示に対し、所定の開始時刻からの経過時間のカウントを前記移行元ポートで行い、前記移行先波長への変更が完了すると前記経過時間のカウントを終了する移行元タイマと、前記波長変更指示に対し、所定の開始時刻からの経過時間のカウントを前記移行先ポートで行い、前記移行先波長への変更が完了すると前記経過時間のカウントを終了する移行先タイマとを備える。
2016171159.tif 000002
【特許請求の範囲】
【請求項１】
加入者側装置に割り当てていた移行元波長を当該移行元波長とは異なる移行先波長に変更する旨の波長変更指示を、前記加入者側装置に指示する波長変更指示部と、
前記移行元波長の光信号を送受信する移行元ポートと、
前記移行先波長の光信号を送受信する移行先ポートと、
前記移行元ポートと前記加入者側装置との接続を検出する移行元ポート監視部と、
前記移行先ポートと前記加入者側装置との接続を検出する移行先ポート監視部と、
前記波長変更指示に対し、所定の開始時刻からの経過時間のカウントを前記移行元ポートで行い、前記移行先波長への変更が完了すると前記経過時間のカウントを終了する移行元タイマと、
前記波長変更指示に対し、所定の開始時刻からの経過時間のカウントを前記移行先ポートで行い、前記移行先波長への変更が完了すると前記経過時間のカウントを終了する移行先タイマと、
を備える、
局側装置。
【請求項２】
前記移行元タイマが経過時間のカウントを開始してから所定時間内に、前記移行元ポート監視部が前記加入者側装置との接続の成功を検出した場合、前記移行元タイマが経過時間のカウントを終了し、前記局側装置は、前記移行先タイマにおける経過時間のカウントを終了させ、
前記移行先タイマが経過時間のカウントを開始してから所定時間内に、前記移行先ポート監視部が前記加入者側装置との接続の成功を検出した場合、前記移行先タイマが経過時間のカウントを終了し、前記局側装置は、前記移行元タイマにおける経過時間のカウントを終了させる、
請求項１に記載の局側装置。
【請求項３】
前記移行元タイマが経過時間のカウントを開始してから前記所定時間を経過時に、前記移行元タイマにおける経過時間のカウントが終了していない時間切れの状態になっている場合、前記局側装置は、前記移行元ポートに異常が発生している旨の通知を行い、
前記移行先タイマが経過時間のカウントを開始してから前記所定時間を経過時に、前記移行先タイマにおける経過時間のカウントが終了していない時間切れの状態になっている場合、前記局側装置は、前記移行先ポートに異常が発生している旨の通知を行う、
請求項１に記載の局側装置。
【請求項４】
加入者側装置に割り当てていた移行元波長を当該移行元波長とは異なる移行先波長に変更する旨の波長変更指示を、前記加入者側装置に指示する波長変更指示手順と、
前記移行元波長の光信号を送受信する移行元ポートと前記加入者側装置との接続を検出するとともに、前記移行先波長の光信号を送受信する移行先ポートと前記加入者側装置との接続を検出するポート監視手順と、
前記波長変更指示に対し、所定の開始時刻からの経過時間のカウントを前記移行元ポートで行い、前記移行先波長への変更が完了すると、前記移行元ポートにおける前記経過時間のカウントを終了するとともに、前記波長変更指示に対し、所定の開始時刻からの経過時間のカウントを前記移行先ポートで行い、前記移行先波長への変更が完了すると、前記移行先ポートにおける前記経過時間のカウントを終了する移行先タイマと、
を局側装置が行う波長切替監視方法。
【発明の詳細な説明】
【技術分野】
【０００１】
本発明は、波長多重及び時分割多重を組み合わせたＰＯＮ（Ｐａｓｓｉｖｅ  Ｏｐｔｉｃａｌ  Ｎｅｔｗｏｒｋ）における、上り波長及び下り波長の動的変更方法に関する技術である。  本願は、２０１５年４月２２日に出願された特願２０１５−０８７８５３号に基づき優先権を主張し、その内容をここに援用する。
【背景技術】
【０００２】
アクセスサービスの高速化に対するニーズの高まりにより、ＦＴＴＨ（Ｆｉｂｅｒ  Ｔｏ  Ｔｈｅ  Ｈｏｍｅ）の普及が世界的に進んでいる。ＦＴＴＨサービスの大部分は、１個の収容局側装置（ＯＳＵ：Ｏｐｔｉｃａｌ  Ｓｕｂｓｃｒｉｂｅｒ  Ｕｎｉｔ）が時分割多重（ＴＤＭ：Ｔｉｍｅ  Ｄｉｖｉｓｉｏｎ  Ｍｕｌｔｉｐｌｅｘｉｎｇ）により複数の加入者側装置（ＯＮＵ：Ｏｐｔｉｃａｌ  Ｎｅｔｗｏｒｋ  Ｕｎｉｔ）を収容し、経済性に優れたＰＯＮ（Ｐａｓｓｉｖｅ  Ｏｐｔｉｃａｌ  Ｎｅｔｗｏｒｋ）方式により提供されている。【０００３】
ＴＤＭ−ＰＯＮ方式による上り方向通信では、ＯＳＵにおける動的帯域割当計算に基づいてＯＮＵ間でシステム帯域を共有しており、各ＯＮＵがＯＳＵより通知された送信許可時間内のみに間欠的に光信号を送信することにより、光信号同士の衝突を防いでいる。
現在の主力システムは、伝送速度がギガビット級であるＧＥ−ＰＯＮ（Ｇｉｇａｂｉｔ  Ｅｔｈｅｒｎｅｔ（登録商標）  ＰＯＮ）、Ｇ−ＰＯＮ（Ｇｉｇａｂｉｔ−ｃａｐａｂｌｅ  ＰＯＮ）であるが、映像配信サービスの進展に加え、大容量ファイルをアップロード／ダウンロードするアプリケーションの登場などにより、ＰＯＮシステムの更なる大容量化が求められている。【０００４】
しかしながら、上記ＴＤＭ−ＰＯＮでは、ラインレートの高速化によりシステム帯域を拡張するため、高速化や波長分散の影響により受信特性が大幅に劣化することに加え、バースト送受信器の経済性が課題となるため、１０ギガを超える大容量化は難しい。【０００５】
１０ギガ超の大容量化に向けて、波長分割多重（ＷＤＭ：Ｗａｖｅｌｅｎｇｔｈ  Ｄｉｖｉｓｉｏｎ  Ｍｕｌｔｉｐｌｅｘｉｎｇ）技術の適用が検討されている。図１は、本発明に関連するＴＤＭ−ＰＯＮシステムにＷＤＭ技術を組み合わせたＷＤＭ／ＴＤＭ−ＰＯＮシステムの一例である。
なお、本明細書上で述べるＷＤＭ／ＴＤＭ−ＰＯＮは、ＩＴＵ−Ｔ（International Telecommunication Union - Telecommunication Standardization Sector)で国際標準化された勧告Ｇ．９８９シリーズの基本システムＴＷＤＭ（Time and Wavelength Division Multiplexing）−ＰＯＮと同義である。また、本明細書に記載の技術については、ＷＤＭ−ＰＯＮにも適用可能である。【０００６】
図１に示すＷＤＭ／ＴＤＭ−ＰＯＮシステムは、＃１〜＃ＭのＯＳＵ１０と複数のＯＮＵ９３を備える。＃１〜＃ＭのＯＳＵ１０は、それぞれλＵ＿１，Ｄ＿１〜λＵ＿Ｍ，Ｄ＿Ｍの波長組を用いて複数のＯＮＵ９３と通信を行う。ここで、λＵ＿１，Ｄ＿１は、上り信号の上り波長λＵ＿１と下り信号の下り波長λＤ＿１の組合せを示す。【０００７】
各々のＯＮＵ９３は、波長ルーティング部９４−１のいずれの端子と接続するかに応じて、固定的に下り波長および上り波長を割り当てられる。全ＯＮＵ９３間で信号の時間的重なりが、＃１〜＃Ｍ、すなわち、ＯＳＵ１０の数まで許される。そのため、ＯＳＵ１０の増設により、１波長あたりのラインレートを高速化することなく、システム帯域を拡張できる。【０００８】
波長ルーティング部９４−１の端子のうち、ＯＮＵ９３側の同一の端子に接続されて光ファイバ伝送路９６に接続される各ＯＮＵ９３は、同一のＯＳＵ１０と論理的に接続され、上り帯域および下り帯域を共有する。
例えば、ＯＮＵ９３＃２−１〜＃２−Ｋは、ＯＳＵ１０＃２と論理的に接続される。ここで、各ＯＮＵ９３とＯＳＵ１０との論理接続は不変であり、各ＯＳＵ１０のトラフィック負荷の状態によらず、異なるＯＳＵ１０＃１〜＃Ｍ間でトラフィック負荷を分散することはできない。【０００９】
これに対して、図２のように、ＯＮＵ９３に搭載する光送信器および光受信器に波長可変機能を備えた波長可変型ＷＤＭ／ＴＤＭ−ＰＯＮシステムが提案されている（例えば、非特許文献１参照。）。
ＯＮＵ９３は、波長可変光送信部３１と、受光部３２１及び波長可変フィルタ３２２を有する波長可変光受信部３２と、波長合分波部３３を備える。【００１０】
非特許文献１の構成では、ＯＮＵ９３における送受信波長の切替により、各ＯＮＵ９３の論理接続先ＯＳＵ１０を個別に変更することができる。この機能を用いることにより、高負荷状態であるＯＳＵ１０がある時には、低負荷状態であるＯＳＵ１０へトラフィック負荷が分散するようにＯＮＵ９３とＯＳＵ１０間の論理接続を変更し、高負荷状態であったＯＳＵ１０の通信品質の劣化を防ぐことができる。【００１１】
また、ＯＳＵ１０の高負荷状態が定常的に発生する場合、図１のＷＤＭ／ＴＤＭ−ＰＯＮシステムでは、一定の通信品質を確保するためにはシステム帯域の増設が必要となるが、図２の波長可変型ＷＤＭ／ＴＤＭ−ＰＯＮシステムでは、ＯＳＵ１０間でトラフィック負荷の分散を図ってシステム全体の帯域を有効に活用することにより一定の通信品質を確保でき、システム帯域の増設のための設備投資を抑えることができる。
【先行技術文献】
【非特許文献】
【００１２】
【非特許文献１】Ｓ．  Ｋｉｍｕｒａ，“ＷＤＭ／ＴＤＭ−ＰＯＮ  ｔｅｃｈｎｏｌｏｇｉｅｓ  ｆｏｒ  ｆｕｔｕｒｅ  ｆｌｅｘｉｂｌｅ  ｏｐｔｉｃａｌ  ａｃｃｅｓｓ  ｎｅｔｗｏｒｋｓ，”  ＯＥＣＣ２０１０，  ６Ａ１−１，  ２０１０
【発明の概要】
【発明が解決しようとする課題】
【００１３】
図２に示す波長可変型ＷＤＭ／ＴＤＭ−ＰＯＮシステムにおいて、移行元ＯＳＵ１０から移行先ＯＳＵ１０へ、ＯＮＵ９３の所属を変更する波長切替が行われるが、何らかの原因で移行先ＯＳＵ１０へ変更できなかった場合、ＯＮＵ９３が自律的に移行元ＯＳＵ１０に復帰する切り戻しが必要となる。ここで、切り戻しとは、移行元ＯＳＵ１０とＯＮＵ９３とが論理的に接続された状態（波長切替を行う前の状態）の上り波長および下り波長に戻ることを指す。
波長切替の指示を受けて移行先ＯＳＵ１０のタイマ監視が開始されると、あらかじめ任意に設定された時間を経てタイマ切れとなるまでタイマ監視が実行される。このタイマ監視では、波長切替が指示されたＯＮＵ９３において、波長切替が正常に完了した場合には、タイマ監視期間内に、ＯＮＵ９３から、移行先ＯＳＵ１０に対して波長切替が正常に正常したことが波長切替完了信号として伝えられる。この際、移行先ＯＳＵ１０は、波長切替が正常に完了したことを認識し、設定されたタイマ監視期間内であったとしてもタイマ監視を終了する。一方、タイマ監視期間中に、ＯＮＵ９３から、移行先ＯＳＵ１０に対して波長切替が正常に正常したことが波長切替完了信号として伝えられたかった場合（例えばＯＮＵ９３が何かしらの理由により波長切替を実行できなかった場合）、移行先ＯＳＵ１０においてタイマ切れが発生し、ＯＮＵ９３において波長切替が実行されなかったと認識することができる。
しかし、移行先ＯＳＵ１０のタイマ監視だけでは、移行元ＯＳＵ１０に切り戻しをした時に、移行先ＯＳＵ１０を管理するタイマのタイマ切れで移行先ＯＳＵ１０への波長切り替えに失敗した場合、ＯＬＴ９１は波長切り替えに失敗した事態は把握できるが、切替元（移行元）ＯＳＵ１０に切り戻ししたことはわからず、装置や通信の状態などから原因を把握することが必要なため、異常状態の分析、対処を迅速に行うことが難しくなる。【００１４】
そのため、ＯＬＴ９１は、ＯＮＵ９３が移行元波長に戻る切り戻しをしたことがわからず、装置や通信の状態などから原因を把握することが必要なため、異常状態の分析、対処を迅速に行うことが難しかった。
【課題を解決するための手段】
【００１５】
本発明は、ＯＬＴ９１内の移行先波長の信号の受信部であるＯＳＵ１０と移行元波長の信号の受信部であるＯＳＵ１０の両方でタイマ監視を行い、切り戻しの際はこれらＯＳＵ１０間で正常終了処理を行うこととしたことで、ＰＯＮ内での波長切り替え動作に、真に異常があるときのみ警報を行う。【００１６】
具体的には、本発明に係る局側装置は、
加入者側装置に割り当てていた移行元波長を当該移行元波長とは異なる移行先波長に変更する旨の波長変更指示を、前記加入者側装置に指示する波長変更指示部と、
前記移行元波長の信号光を送受信する移行元ポートと、
前記移行先波長の信号光を送受信する移行先ポートと、
前記移行元ポートと前記加入者側装置との接続を検出する移行元ポート監視部と、
前記移行先ポートと前記加入者側装置との接続を検出する移行先ポート監視部と、
前記波長変更指示を契機に経過時間のカウントを開始し、当該カウントの開始から予め定められた所定時間内に、前記移行元ポート監視部が接続を検出すると経過時間のカウントを終了する移行元タイマと、
前記波長変更指示を契機に経過時間のカウントを開始し、当該カウントの開始から予め定められた所定時間内に、前記移行先ポート監視部が接続を検出すると経過時間のカウントを終了する移行先タイマと、
を備える。【００１７】
本発明に係る局側装置では、
前記移行元タイマ及び前記移行先タイマが経過時間のカウントを開始してから前記所定時間内に、前記移行元ポート監視部が前記加入者側装置との接続を検出した場合、前記移行先タイマが経過時間のカウントを終了し、前記局側装置は、前記移行元タイマ及び前記移行先タイマにおける経過時間のカウントを終了させ、
前記移行元タイマ及び前記移行先タイマが経過時間のカウントを開始してから前記所定時間内に、前記移行先ポート監視部が前記加入者側装置との接続を検出した場合、前記移行元タイマが経過時間のカウントを終了し、前記局側装置は、前記移行元タイマ及び前記移行先タイマにおける経過時間のカウントを終了させてもよい。【００１８】
本発明に係る局側装置では、
前記移行元タイマ及び前記移行先タイマが経過時間のカウントを開始してから前記所定時間を経過時に、前記移行元タイマにおける経過時間のカウントが終了していない時間切れの状態になっている場合、前記局側装置は、前記移行元ポートに異常が発生している旨の通知を行い、
前記移行元タイマ及び前記移行先タイマが経過時間のカウントを開始してから前記所定時間を経過時に、前記移行先タイマにおける経過時間のカウントが終了していない時間切れの状態になっている場合、前記局側装置は、前記移行先ポートに異常が発生している旨の通知を行ってもよい。【００１９】
具体的には、本発明に係る波長切替監視方法は、
加入者側装置に割り当てていた移行元波長を当該移行元波長とは異なる移行先波長に変更する旨の波長変更指示を、前記加入者側装置に指示する波長変更指示手順と、
前記移行元波長の信号光を送受信する移行元ポートと前記加入者側装置との接続を検出するとともに、前記移行先波長の信号光を送受信する移行先ポートと前記加入者側装置と
の接続を検出するポート監視手順と、
前記波長変更指示を契機に経過時間のカウントを開始し、前記カウントの開始から予め定められた所定時間内に前記移行元ポートと前記加入者側装置との接続を検出すると、移行元タイマにおける経過時間のカウントを終了し、前記カウントの開始から予め定められた所定時間内に前記移行先ポートと前記加入者側装置との接続を検出すると、移行先タイマにおける経過時間のカウントを終了するタイマ終了手順と、
を局側装置が、順に行う。【００２０】
なお、上記各発明は、可能な限り組み合わせることができる。
【発明の効果】
【００２１】
ＯＬＴ９１は、ＯＮＵ９３が通常の波長切替を行うか、切り戻しを行うか波長変更指示を出した時点ではわからない。しかし、本発明によれば、ＯＬＴ９１が移行先ポート及び移行元ポートを監視するためのタイマを備え、各タイマは、いずれかのポートがＯＮＵ９３と接続されたことを契機にタイマのカウントを終了する。このため、ＯＬＴ９１は、両ポートにおける通常波長切替又は切り戻しの切替完了を監視するため、事前にＯＮＵ９３がどちらの波長切替を行うかわからないとしても、正しくどちらの波長切替シーケンスも完了させ、それらを識別することができる。【００２２】
また、本発明によれば、ＯＬＴ９１は、移行先ポート及び移行元ポートを監視するためのタイマのタイムアウトによって、ＯＮＵ９３が移行元波長に戻る切り戻しをしたことや、通常切替および切り戻しのどちらかや、通常切替および切り戻しのどちらも完了しなかったことを検知することができる。これにより、本発明は、ＯＮＵ９３における異常の発生での切り戻しが発生したのか、切替元、切替先タイマのどちらのタイムアウトが発生したのか、といった異常状態の分析、分類が可能になり、対処を迅速に行うことが容易になる。【００２３】
したがって、本発明は、発生した異常の緊急度に応じた保守対応をすることを可能とし、緊急度に応じた対応が可能となるとともに、切り戻しの場合とタイムアウトによる警報とが個別されることにより、故障原因の分析が可能となる。
【図面の簡単な説明】
【００２４】
【図１】本発明に関連するＷＤＭ／ＴＤＭ−ＰＯＮシステムの構成の一例を示す。
【図２】本発明に関連する波長可変型ＷＤＭ／ＴＤＭ−ＰＯＮシステムの構成の一例を示す。
【図３】本発明の実施形態１に係る光通信システムの一例を示す。
【図４】本発明の実施形態１に係る波長切替シーケンスのうち、通常切り替えシーケンスの一例を示す。
【図５】本発明の実施形態１に係る波長切替シーケンスのうち、所定時間内で切り替えがなされない場合の一例を示す。
【図６】本発明の実施形態１に係る波長切替シーケンスのうち、切り戻しの際の遷移の一例を示す。
【図７】本発明の実施形態２に係る光通信システムの一例を示す。
【図８】本発明の実施形態３に係る光通信システムの一例を示す。
【発明を実施するための形態】
【００２５】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２６】
（実施形態１）
図３に、本実施形態に係る光通信システムの一例を示す。
本実施形態に係る光通信システムは、複数の加入者側装置として機能する複数のＯＮＵ９３と、局側装置として機能するＯＬＴ９１を備える。
本実施形態に係る光通信システムは、波長可変型ＷＤＭ／ＴＤＭ−ＰＯＮシステムであり、複数のＯＮＵ９３とＯＬＴ９１が波長分割多重（ＷＤＭ）かつ時分割多重（ＴＤＭ）で光信号の送受信を行う。
【００２７】
ＯＬＴ９１は、＃１〜＃ｍのＯＳＵ１０と、ＯＳＵ１０ごとに備わる＃１〜＃ｍのポート２０と、ポート監視部４１と、波長変更指示部４２と、多重分離部４３を備える。なお、本実施形態におけるポートは、ＩＴＵ−Ｔ  Ｇ．９８９．３においてＣＴ（Ｃｈａｎｎｅｌ  Ｔｅｒｍｉｎｃａｔｉｏｎ）と定義されるものの一例である。また、本実施形態におけるポートは、ＯＳＵ（Ｏｐｔｉｃａｌ  Ｓｕｂｓｃｒｉｂｅｒ  Ｕｎｉｔ）と一般に呼ばれることもある。
【００２８】
各ＯＳＵ１０は、光送信部１１及び光受信部１２を備える。
光受信部１２は、ＯＮＵ９３から送信された上り信号を受信する。光送信部１１は、多重分離部４３からのＯＮＵ９３への下り信号を送信する。
多重分離部４３は、ＯＳＵ１０が受信した上り信号を多重して上位ネットワークへと送信し、上位ネットワークから受信した下り信号を分離してＯＳＵ１０へ送信する。
【００２９】
＃１〜＃ｍのＯＳＵ１０は、予め定められた波長の光信号を用いてＯＮＵ９３と送受信する。例えば、ＯＳＵ１０＃１は、波長λＵ＿１，Ｄ＿１の光信号を送受信する。ＯＳＵ１０＃ｍは、波長λＵ＿ｍ，Ｄ＿ｍの光信号を送受信する。
【００３０】
波長変更指示部４２は、波長切替シーケンスに関する処理を行う。例えば、波長変更指示部４２は、ＯＮＵ９３に対して波長変更指示を行い、波長切替シーケンスに関するメッセージを処理する。
【００３１】
例えば、波長変更指示部４２は、時点Ｔ１に、ＯＮＵ９３＃１に対し、送受信波長を、波長λＵ＿１，Ｄ＿１から波長λＵ＿ｍ，Ｄ＿ｍへと変更するよう指示する。この場合、波長λＵ＿１，Ｄ＿１が移行元波長であり、波長λＵ＿ｍ，Ｄ＿ｍが移行先波長である。そして、波長変更指示部４２は、ＯＮＵ９３＃１の送信した波長切替シーケンスに関するメッセージを処理する。
【００３２】
ポート監視部４１は、＃１〜＃ｍのポート２０を監視する。
例えば、ポート監視部４１は、移行元波長λＵ＿１，Ｄ＿１を送受信するＯＳＵ１０＃１用のポート２０＃１と、移行先波長λＵ＿ｍ，Ｄ＿ｍを送受信するＯＳＵ１０＃ｍ用のポート２０＃ｍと、を監視する。この場合、ポート２０＃１が移行元ポート（移行元ＯＬＴポートとも言う）として機能し、ポート２０＃ｍが移行先ポート（移行先ＯＬＴポートとも言う）として機能する。以下、この例における場合で説明する。
また、ポート監視部４１におけるポート２０＃１を監視する部分が、移行元ポート監視部に相当する。そして、ポート監視部４１におけるポート２０＃ｍを監視する部分が、移行先ポート監視部に相当する。
上記監視は、例えば、ポート２０＃１とＯＮＵ９３＃１が接続されたか、波長切替によりポート２０＃ｍとＯＮＵ９３＃１が接続されたか、である。これらの接続されたか否かの監視は、波長変更指示部４２における波長切替シーケンスに関するメッセージを用いて行うことができる。
【００３３】
ポート監視部４１は、移行元タイマ及び移行先タイマを備える。
移行元タイマは、波長変更指示部４２が波長変更指示を行った時点Ｔ１から、移行元ポート２０＃１における移行元経過時間をカウントする。また、移行先タイマは、波長変更指示部４２が波長変更指示を発した時点Ｔ１から、移行先ポート２０＃ｍにおける移行先経過時間をカウントする。
【００３４】
移行元タイマ及び移行先タイマは、それぞれある一定量のカウント量になると、タイムアウトと判断する。ただし、これはあくまで例であり、本実施形態で用いるタイマは、設定された時間経過を継続し、ある設定された時間を経過したことを通知する機能であればよい。したがって、たとえば設定された時間量をＴ１から減算し、タイマ値が０になるとタイムアウトと判断するタイマであってもよい。
【００３５】
所定の経過時間前に、ポート監視部４１が、移行元ポート２０＃１とＯＮＵ９３＃１の接続の成功を検出した場合、ポート監視部４１は、移行先タイマの経過時間のカウントを終了する。そして、ポート監視部４１は、移行元タイマ及び移行先タイマにおける経過時間のカウントを終了させ、移行元ポート２０＃１及び移行先ポート２０＃ｍを通常動作とする。すなわち、ＯＳＵ１０＃１及び１０＃ｍを通常動作とする。
【００３６】
ポート監視部４１は、波長切替が正常に完了したかどうかを監視しても良い。その場合のシーケンスは、以下の通りとなる。
【００３７】
ポート監視部４１は、波長切替の開始時を、波長変更指示部４２が波長変更指示を行った時とし、波長切替の開始時に移行元タイマ及び移行先タイマの両方のタイマをスタートさせる。
なお、タイマをスタートさせる時点Ｔ１は、波長変更指示をＯＮＵ９３＃１に対して行う時点に限らず、波長変更指示を契機とする任意の時点とすることが可能であり、例えば、波長変更指示をＯＮＵ９３＃１に対して行う時点の直前であってもよい。
【００３８】
もし、ＯＮＵ９３＃１の通常波長切替が完了した場合、移行先ポート２０＃ｍは上り切替完了信号を受信する。この場合、ポート監視部４１は、ＯＮＵ９３＃１と移行先ポート２０＃ｍとの接続の成功を検出する。
すると、ポート監視部４１は、移行先タイマを終了させ、移行元タイマも終了させる。そして、移行元タイマ及び移行先タイマにおける経過時間のカウントを終了させる。
【００３９】
もし、（移行先ＯＳＵ１０＃ｍへの変更ができずに）移行元ポート２０＃１への切り戻しが完了した場合、移行元ポート２０＃１が切り戻し完了信号を受信する。この場合、ポート監視部４１は、ＯＮＵ９３＃１と移行先ポート２０＃１との接続の成功を検出する。すると、ポート監視部４１は、移行元タイマを終了し、同様に移行先タイマを終了する。そして、移行元タイマ及び移行先タイマにおける経過時間のカウントを終了させる。
【００４０】
もし、移行先タイマ及び移行元タイマのうち、少なくとも一方が時間切れでタイムアウトした場合、ポート監視部４１は、ＯＮＵ内部の波長切替制御回路の故障あるいは誤動作により波長切替が正常に行われずに、移行元波長及び移行元波長のいずれとも違う波長に変わってしまったと判断して、アラーム発出等の例外動作処理を開始する。
例えば、移行元タイマは終了し、移行先タイマが時間切れでタイムアウトした場合、ポート監視部４１は、切り戻しは完了しているが、移行先ポート２０＃ｍに何らかの異常が起きている可能性があると判断する。
【００４１】
また、移行先タイマはカウントを終了し、移行元タイマが時間切れでタイムアウトした場合、ポート監視部４１は、通常波長切替は完了しているが、移行元ポート２０＃１に何らかの異常が起きている可能性があると判断する。
【００４２】
また、ポート監視部４１は、更に所定の経過時間経過時に、移行先ポート２０＃ｍ又は移行元ポート２０＃１のいずれもＯＮＵ９３＃１との接続がなかった場合には、ＯＮＵ９３＃１に何らかの異常が起きている可能性があると判断する。
【００４３】
ポート監視部４１は、何らかの異常が起きている可能性があると判断した場合、警報を行う警報部（不図示）を有しても良い。この場合、警報は表示による点灯であっても良いし、警報音や、管理人へのメール通知等、いずれであっても警報動作であればすべて含む。
【００４４】
本実施形態に係る波長切替監視方法は、波長変更指示手順と、ポート監視手順と、タイマ終了手順と、を順に行う。
波長変更指示手順では、波長変更指示部４２が、ＯＮＵ９３＃１に割り当てていた移行元波長λＵ＿１，Ｄ＿１を移行先波長λＵ＿ｍ，Ｄ＿ｍに変更する旨の波長変更指示を、ＯＮＵ９３＃１に指示する。
ポート監視手順では、ポート監視部４１が、移行元ポート２０＃１とＯＮＵ９３＃１との接続を検出するとともに、移行先ポート２０＃ｍとＯＮＵ９３＃１との接続を検出する。
タイマ終了手順では、ポート監視部４１が時点Ｔ１から予め定められた所定時間内に移行元ポート２０＃１とＯＮＵ９３＃１との接続の成功を検出すると、ポート監視部４１が移行元タイマにおける経過時間のカウントを終了する。また、ポート監視部４１が時点Ｔ１から予め定められた所定時間内に移行元ポート２０＃ｍとＯＮＵ９３＃１との接続の成功を検出すると、ポート監視部４１が移行先タイマにおける経過時間のカウントを終了する。
【００４５】
図４に、移行元波長λＵ＿１，Ｄ＿１から移行先波長λＵ＿ｍ，Ｄ＿ｍへ切替える場合のシーケンス図を示す。上記波長変更指示手順においてＳ１０１を行い、上記ポート監視手順においてＳ２０１〜Ｓ２０２を行い、上記タイマ終了手順においてＳ２０４〜Ｓ２０６を行う。
【００４６】
移行元ポート２０＃１から移行先ポート２０＃ｍへと移行する場合に、ＯＳＵ１０＃１は、移行元ポート２０＃１よりＯＮＵ９３＃１へ波長変更指示（λＵ＿ｍ，Ｄ＿ｍ）を送る（Ｓ１０１）。
ポート監視部４１は、移行先タイマ及び移行元タイマのカウントを開始させる（Ｓ２０１，Ｓ２０２）。
【００４７】
その後、ＯＮＵ９３＃１は確認応答（応答）を返し、波長切り替えを開始する（Ｓ１０２）。このとき、移行元ポート２０＃１が確認応答（応答）を受信し、波長変更指示部４２が移行元ポート２０＃１の受信した確認応答（応答）を処理する。
ＯＮＵ９３＃１は、波長切り替えが完了すると、上り切替完了信号を移行先ポート２０＃ｍへと送る（Ｓ１０３）。このとき、移行先ポート２０＃ｍが上り切替完了信号を受信し、波長変更指示部４２が移行先ポート２０＃ｍの受信した上り切替完了信号を処理する。
【００４８】
ポート監視部４１は、移行先ポート２０＃ｍが上り切替完了信号を受信したことを検知すると、移行先タイマのカウントを終了する（Ｓ２０５）。その後、ポート監視部４１は、移行元タイマに完了通知を行い（Ｓ２０４）、移行元タイマを終了させる（Ｓ２０６）。
【００４９】
その後、ポート監視部４１は、移行先ポート２０＃ｍから、ＯＮＵ９３＃１に、下り切替完了信号を送る（Ｓ１０４）。その後、両ポート２０＃１及び２０＃ｍは通常動作となり、移行先ポート２０＃ｍとＯＮＵ９３＃１は、新たな波長λＵ＿ｍ，Ｄ＿ｍを利用して通信を開始する。
【００５０】
図５に、所定時間内で波長切り替えがされない場合のシーケンス図を示す。この場合、上記波長変更指示手順においてＳ１０１を行い、上記ポート監視手順においてＳ２０１及びＳ２０２を行い、上記タイマ終了手順においてＳ３０１〜Ｓ３０４を行う。
【００５１】
波長変更指示部４２は、移行元ポート２０＃１から移行先ポート２０＃ｍへと移行する場合に、移行元ポート２０＃１よりＯＮＵ９３＃１へ波長変更指示（λＵ＿ｍ，Ｄ＿ｍ）を送る（Ｓ１０１）。
ポート監視部４１は、波長変更指示部４２が波長変更指示を発すると、移行先タイマ及び移行元タイマのカウントを開始させる（Ｓ２０１、Ｓ２０２）。
【００５２】
その後、ＯＮＵ９３＃１は、確認応答（応答）を返し（Ｓ１０２）、波長切り替えを開始する。
波長切り替えがうまくいかない場合には（Ｓ１０３）、移行先タイマ及び移行元タイマが時間切れで終了する（Ｓ３０１、Ｓ３０２）。この場合、ポート監視部４１は、移行先タイマ及び移行元タイマを終了させ（Ｓ３０３、Ｓ３０４）、警報動作を行う（Ｓ３０５、Ｓ３０６）。これにより、装置異常に迅速に対応することができる。
【００５３】
図６に、（移行元波長に戻る）切り戻しの際のシーケンス図を示す。上記波長変更指示手順においてＳ１０１を行い、上記ポート監視手順においてＳ２０１及びＳ２０２を行い、上記タイマ終了手順においてＳ４０２〜Ｓ４０４を行う。
【００５４】
移行元ポート２０＃１から移行先ポート２０＃ｍへと移行する場合に、波長変更指示部４２は、移行元ポート２０＃１よりＯＮＵ９３＃１へ波長変更指示（λＵ＿ｍ，Ｄ＿ｍ）を送る（Ｓ１０１）。ポート監視部４１は、移行先タイマ及び移行元タイマのカウントを開始させる（Ｓ２０１、Ｓ２０２）。
【００５５】
その後、ＯＮＵ９３＃１は確認応答（応答）を返し（Ｓ１０２）、波長切り替えを開始する。
波長切り替えがうまくいかないが、元の信号で動作できる場合には、ＯＮＵ９３＃１は、切り戻し完了信号を、移行元ポート２０＃１に送信する（Ｓ１０５）。このとき、移行元ポート２０＃１が切り戻し完了信号を受信し、波長変更指示部４２が移行元ポート２０＃１の受信した切り戻し完了信号を処理する。
【００５６】
ポート監視部４１は、移行元ポート２０＃１が切り戻し完了信号を受信したことを検知する。すると、ポート監視部４１は、移行元タイマのカウントを終了する（Ｓ４０３）。その後、移行元ポート２０＃１は、ＯＮＵ９３＃１に対して下り切替完了信号（Ｓ１０４）を返す。ポート監視部４１は、移行先タイマに完了通知を行い（Ｓ４０２）、移行先タイマのカウントを終了させる（Ｓ４０４）。
【００５７】
その後、両ポート２０＃１及び＃ｍは通常動作となり、移行元ポート２０＃１とＯＮＵ９３＃１は、元の波長を利用して通信を開始する。切り戻しが行われた場合には、ポート監視部４１は、動作としては正常な状態であるため、警報は行わない。これにより、警報等の真に緊急な場合のみ警報動作が行うことができる。
【００５８】
（実施形態２）
図７に、本実施形態に係る光通信システムの一例を示す。
本実施形態に係る光通信システムは、各ポート２０が移行元ポート監視部及び移行先ポート監視部として機能するポート監視部を備える。各ポート２０のポート監視部は、移行元タイマ及び移行先タイマとして機能するタイマを備える。
本実施形態においても、波長変更指示部４２が、時点Ｔ１に、ＯＮＵ９３＃１に対し、送受信波長を、波長λＵ＿１，Ｄ＿１から波長λＵ＿ｍ，Ｄ＿ｍへと変更するよう指示する場合について説明する。
【００５９】
その場合の波長切替シーケンスは、以下の通りとなる。
各ポート２０のポート監視部は、波長切替の開始時を、波長変更指示部４２が波長変更指示を行った時とし、波長切替の開始時に移行元タイマ及び移行先タイマをスタートさせる。ここで、タイマをスタートさせる時点Ｔ１は、波長変更指示をＯＮＵ９３＃１に行う時点に限らず、波長変更指示を契機とする任意の時点とすることが可能であり、例えば、波長変更指示をＯＮＵ９３＃１に行う時点の直前であってもよい。
【００６０】
もし、ＯＮＵ９３の通常波長切替が完了し、移行先ポート２０＃ｍが上り切替完了信号を受信した場合、波長変更指示部４２が上り切替完了信号を移行先ポート２０＃ｍから取得する。そして、移行先ポート２０＃ｍに備わる移行先ポート監視部が、移行先ポート２０＃ｍとＯＮＵ９３＃１の接続の成功を検出する。すると、移行先ポート２０＃ｍの移行先タイマがカウントを終了する。
移行先ポート２０＃ｍの移行先ポート監視部は、移行元ポート２０＃１に波長切替完了を伝え、移行元ポート２０＃１の移行元ポート監視部は、移行元タイマを終了する。
【００６１】
もし、（移行先ＯＳＵ１０＃ｍへの変更ができずに）移行元ポート２０＃１への切り戻しが完了し、波長変更指示部４２が切り戻し完了信号を受信した場合、波長変更指示部４２が切り戻し完了信号を移行元ポート２０＃１から取得する。そして、移行元ポート２０＃１の移行元ポート監視部が、移行元ポート２０＃１とＯＮＵ９３＃１の接続の成功を検出する。すると、移行元ポート２０＃１の移行元タイマがカウントを終了する。
移行元ポート２０＃１の移行元ポート監視部は、移行先ポート２０＃ｍに切り戻し完了を伝え、移行先ポート２０＃ｍの移行先ポート監視部は移行先タイマを終了する。
【００６２】
もし、移行元タイマ又は移行先タイマの少なくとも一方が時間切れでタイムアウトした場合、移行元ポート監視部又は移行先ポート監視部は、波長切替が正常に行われずに、移行元波長及び移行元波長のいずれとも違う波長に変わってしまったと判断して、アラーム発出等の例外動作処理を開始する。
【００６３】
また、移行先タイマは終了したが移行元タイマが時間切れになった場合、移行元ポート監視部は、切り戻しは完了しているが、移行元ポート２０＃１に何らかの異常が起きている可能性があると判断する。
また、移行元タイマは終了したが移行先タイマが時間切れでタイムアウトした場合、移行先ポート監視部は、通常波長切替は完了しているが、移行先ポート２０＃ｍに何らかの異常が起きている可能性があると判断する。
したがって、移行元タイマ及び移行先タイマの状態から、故障要因の分析が可能となる。
【００６４】
＃１〜＃ｍのポート２０は、所定の経過時間経過時に移行先ポート２０＃ｍ又は移行元ポート２０＃１のいずれもＯＮＵ９３＃１との接続がなかった場合に、移行元ポート監視部又は移行先ポート監視部の指示を受けて警報を行う警報部（不図示）を有しても良い。
この場合、警報は表示による点灯であっても良いし、警報音や、管理人へのメール通知等、いずれであっても警報動作であればすべて含む。
【００６５】
以下、上記図４をここでも用いて、本実施形態２における波長λＵ＿１，Ｄ＿１から波長λＵ＿ｍ，Ｄ＿ｍへ切替える場合のシーケンス図を示す。
移行元ポート２０＃１から移行先ポート２０＃ｍへと移行する場合に、移行元ポート２０＃１は、ＯＮＵ９３＃１へ波長変更指示（λＵ＿ｍ，Ｄ＿ｍ）を送る（Ｓ１０１）。移行元ポート２０＃１の移行元タイマはカウントを開始し、移行先ポート２０＃ｍの移行先タイマはカウントを開始する。
【００６６】
その後、ＯＮＵ９３＃１は確認応答（応答）を返し（Ｓ１０２）、波長切り替えを開始する。このとき、移行元ポート２０＃１が確認応答（応答）を受信し、波長変更指示部４２が移行元ポート２０＃１の受信した確認応答（応答）を処理する。
ＯＮＵ９３＃１は、波長切り替えが完了すると、上り切替完了信号を移行先ポート２０＃ｍへと送る（Ｓ１０３）。このとき、移行先ポート２０＃ｍが上り切替完了信号を受信し、波長変更指示部４２が移行先ポート２０＃ｍの受信した上り切替完了信号を処理する。
【００６７】
移行先ポート２０＃ｍが上り切替完了信号を受信すると、上記移行先ポート監視部が移行先ポート２０＃ｍとＯＮＵ９３＃１の接続の成功を検出し、移行先タイマがカウントを終了する。移行先ポート２０＃ｍの移行先ポート監視部は、移行元ポート２０＃１に完了通知を行う。完了通知を受信した移行元ポート２０＃１の移行元ポート監視部は、移行元タイマを終了させる。
【００６８】
移行先ポート２０＃ｍは、ＯＮＵ９３＃１に、下り切替完了信号を送る（Ｓ１０４）。その後、両ポート２０＃１及び２０＃ｍは通常動作となり、移行先ポート２０＃ｍとＯＮＵ９３＃１は、新たな波長λＵ＿ｍ，Ｄ＿ｍを利用して通信を開始する。
【００６９】
以下、上記図５をここでも用いて、本実施形態２における所定時間内で波長切り替えがされない場合のシーケンス図を示す。
移行元ポート２０＃１から移行元ポート２０＃ｍへと移行する場合に、移行元ポート２０＃１は、ＯＮＵ９３＃１へ波長変更指示（λＵ＿ｍ，Ｄ＿ｍ）を送る（Ｓ１０１）。移行元ポート２０＃１の移行元タイマはカウントを開始し、移行先ポート２０＃ｍの移行先タイマはカウントを開始する。
【００７０】
その後、ＯＮＵ９３＃１は、確認応答（応答）を返し（Ｓ１０２）、波長切り替えを開始する。
波長切り替えがうまくいかない場合には（Ｓ１０３）、移行元タイマ及び移行先タイマがタイムアウトして時間切れで終了する。移行元タイマ及び移行先タイマがタイムアウトして時間切れで終了した場合には、移行元ポート監視部及び移行先ポート監視部は警報動作を行う。これにより、装置異常に迅速に対応することができる。
【００７１】
以下、上記図６をここでも用いて、本実施形態２における切り戻しの際のシーケンス図を示す。
移行元ポート２０＃１から移行先ポート２０＃ｍへと移行する場合に、移行元ポート２０＃１は、ＯＮＵ９３＃１へ波長変更指示（λＵ＿ｍ，Ｄ＿ｍ）を送る（Ｓ１０１）。移行元ポート２０＃１の移行元タイマはカウントを開始し、移行先ポート２０＃ｍの移行先タイマはカウントを開始する。
【００７２】
その後、ＯＮＵ９３＃１は確認応答（応答）を返し（Ｓ１０２）、波長切り替えを開始する。
波長切り替えがうまくいかないが、元の信号で動作可能な場合には、ＯＮＵ９３＃１は、切り戻し完了信号を、移行元ポート２０＃１に送信する（Ｓ１０５）。このとき、移行元ポート２０＃１が切り戻し完了信号を受信し、波長変更指示部４２が移行元ポート２０＃１の受信した切り戻し完了信号を処理する。
【００７３】
移行元ポート２０＃１が切り戻し完了信号を受信すると、移行元ポート２０＃１の移行元タイマはカウントを終了する。移行元ポート２０＃１の移行元ポート監視部は、移行先ポート２０＃ｍへも完了通知を行う。移行先ポート２０＃ｍの移行先ポート監視部は、移行先タイマを終了させる。
【００７４】
その後、両ポート２０＃１及び＃ｍは通常動作となり、移行元ポート２０＃１とＯＮＵ９・BR>R＃１は、元の波長を利用して通信を開始する。切り戻しが行われた場合には、動作としては正常な状態であるため、移行元ポート監視部及び移行先ポート監視部は警報は行わない。これにより、警報等の真に緊急な場合のみ警報動作が行うことができる。
【００７５】
（実施形態３）
図８に、本実施形態に係る光通信システムの一例を示す。
本実施形態に係る光通信システムは、上記実施形態１に係るＯＬＴ９１を複数備える。本実施形態では、ＯＬＴ９１の間で一方が収容するＯＮＵ９３を他方のＯＬＴ９１へと収容替えする場合について説明する。
【００７６】
本実施形態では、ＯＮＵ９３と波長分割多重（ＷＤＭ）かつ時分割多重（ＴＤＭ）で光信号の送受信を行う波長可変型ＷＤＭ／ＴＤＭ−ＰＯＮの複数の局側装置９１（ＯＬＴ）を備えるＰＯＮシステムにおいて、２以上のＯＬＴ９１のうち、任意の２つのＯＬＴ９１の間で、移行元ＯＬＴ９１＃１の移行元ポート２０＃１の収容するＯＮＵ９３＃１を、移行先ＯＬＴ９１＃２の移行先ポート２０＃ｎへと収容替えする。その場合のシーケンスは、以下の通りとなる。
【００７７】
移行元ＯＬＴ９１＃１に備わる波長変更指示部４２は、移行元ＯＬＴ９１＃１が収容するＯＮＵ９３＃１が通信に用いている上り波長を、現波長から新たに割り当てる移行先ＯＬＴ９１＃２の波長へと切り替える波長変更指示を発する。
【００７８】
移行元ＯＬＴ９１＃１に備わる波長変更指示部４２がＯＮＵ９３＃１に波長変更指示を発した時点から、移行元ＯＬＴ９１＃１に備わるポート監視部４１は、波長変更指示を契機に移行元タイマのカウントを開始する。そして、移行元ＯＬＴ９１＃１は、移行先ＯＬＴ９１＃２に波長変更指示を発した旨を、集線装置９５を経由して通知する。
当該通知を受けた移行先ＯＬＴ９１＃２は、ポート監視部４１の移行先タイマのカウントを開始する。その後の移行元ポート２０＃１から移行先ポート２０＃ｎへの収容替えのシーケンスは、実施形態１と同様である。
【００７９】
本実施形態に係るＯＮＵ９３の収容替えは、地理的に異なるＯＬＴ９１＃１及び９１＃２での収容替えにも適用することができる。ただし、ＯＬＴ９１＃１及び９１＃２の間で移行元タイマ及び移行先タイマを開始、終了させる際には、ＯＬＴ９１＃１及び＃２のそれぞれに備わるポート監視部４１が連携する経路を追加する必要がある。
例えば、各ＯＬＴ９１のポート監視部４１同士で信号をやり取りする経路を設けても良いし、この経路は、主信号と別線でもいいし、集線装置９５を介して主信号と混ぜてやりとりしても良い。
なお、本実施形態３に係る光通信システムは、実施形態２に係る、ポート監視部４１を備えない構成にも適用することができる。
【産業上の利用可能性】
【００８０】
本発明は情報通信産業に適用することができる。
【符号の説明】
【００８１】
１０：ＯＳＵ
１１：光送信部
１２：光受信部
１３：波長合分波部
２０：ポート
３１：波長可変光送信部
３２：波長可変光受信部
３３：波長合分波部
４１：ポート監視部
４２：波長変更指示部
４３：多重分離部
９１：ＯＬＴ
９２−１、９２−２：光合分波部
９３：ＯＮＵ
９４−１、９４−２：波長ルーティング部
９５：集線装置
９６：光ファイバ伝送路
１２１：受光部
１２２：波長フィルタ
３２１：受光部
３２２：波長可変フィルタ
【図１】
2016171159.tif 000003
【図２】
2016171159.tif 000004
【図３】
2016171159.tif 000005
【図４】
2016171159.tif 000006
【図５】
2016171159.tif 000007
【図６】
2016171159.tif 000008
【図７】
2016171159.tif 000009
【図８】
2016171159.tif 000010
【国際調査報告】
2016171159.tif 000011
2016171159.tif 000012